(57)【要約】【課題】ネットワークを介して受信されたデータを所定条件下で通信装置から外部装置に送信することにより、データ利用者が利用を望むデータのみを外部装置に送信可能とし、もって通信装置から外部装置に送信されたデータの利用を極めて簡単に行うことができるデータ処理システムを提供する。【解決手段】ファクシミリ装置１において、ファクシミリイメージデータのインデクスと転送対象アドレスとが一致していると判断された場合（Ｓ１４：ＹＥＳ）には、ファクシミリ受信イメージメモリ１６ａに記憶されているイメージデータをＲＡＭ１６に設けられた転送イメージメモリ１６ｂに読み出すとともに、転送イメージメモリ１６ｂに展開されているイメージデータを、携帯端末装置５０に送信する（Ｓ１９）ように構成し、ファクシミリイメージデータのインデクスと一致する転送対象アドレスに対応するファクシミリイメージデータのみを携帯端末装置５０に送信する。【選択図】図８
2008085799.tif 000002
【特許請求の範囲】
【請求項１】
ネットワークを介して送信される第１データ及び第１データの送信元を識別可能な第１識別情報を受信する通信装置と、通信装置に接続されるとともに第２識別情報を保有する外部装置とを含むデータ処理システムであって、
前記通信装置は、
ネットワークを介して前記第１データ及び第１識別情報を受信する第１受信手段と、
前記外部装置から第２識別情報を受信する第２受信手段と、
前記第１受信手段により受信された第１データ及び第１識別情報を記憶する第１記憶手段と、
前記外部装置から受信された第２識別情報が、前記第１記憶手段に記憶された第１識別情報と同一であるかどうかを判断する判断手段と、
前記第１記憶手段に記憶された第１データを前記外部装置に送信する送信手段とを備え、
前記外部装置は、
前記第２識別情報を記憶する第２記憶手段と、
前記送信手段を介して送信された第１データを受信する第３受信手段とを備え、
前記通信装置は、前記判断手段を介して、前記第２識別情報が前記第１記憶手段に記憶された第１識別情報と同一であると判断された場合、前記送信手段により第１データを外部装置に送信することを特徴とするデータ処理システム。
【請求項２】
ネットワークを介して送信される第１データ及び第１データの送信元を識別可能な第１識別情報を受信する通信装置と、通信装置に接続されるとともに第２識別情報を保有する外部装置とを含むデータ処理システムであって、
前記通信装置は、
ネットワークを介して前記第１データ及び第１識別情報を受信する第１受信手段と、
前記外部装置から第２識別情報を受信する第２受信手段と、
前記第１受信手段により受信された第１データ及び第１識別情報を記憶する第１記憶手段と、
前記第１識別情報に対応する第２データを記憶する第２記憶手段と、
前記第１データと第２データとを合成して第３データを作成する合成手段と、
前記外部装置から受信された第２識別情報が、前記第１記憶手段に記憶された第１識別情報と同一であるかどうかを判断する判断手段と、
前記合成手段を介して合成された第３データを前記外部装置に送信する送信手段とを備え、
前記外部装置は、
前記第２識別情報を記憶する第３記憶手段と、
前記送信手段を介して送信された第３データを受信する第３受信手段とを備え、
前記通信装置は、前記判断手段を介して、前記第２識別情報が前記第１記憶手段に記憶された第１識別情報と同一であると判断された場合、前記送信手段により第３データを外部装置に送信することを特徴とするデータ処理システム。
【請求項３】
前記通信装置には、複数の前記外部装置が接続され、
前記判断手段は、複数の各外部装置に対して、外部装置から受信された第２識別情報が、前記第１記憶手段に記憶された第１識別情報と同一であるかどうかを判断することを特徴とする請求項１又は請求項２に記載のデータ処理システム。
【請求項４】
ネットワークを介して送信される第１データ及び第１データの送信元を識別可能な第１識別情報を受信するとともに、第２識別情報を保有する外部装置に接続される通信装置であって、
ネットワークを介して前記第１データ及び第１識別情報を受信する第１受信手段と、
前記外部装置から第２識別情報を受信する第２受信手段と、
前記第１受信手段により受信された第１データ及び第１識別情報を記憶する第１記憶手段と、
前記外部装置から受信された第２識別情報が、前記第１記憶手段に記憶された第１識別情報と同一であるかどうかを判断する判断手段と、
前記第１記憶手段に記憶された第１データを前記外部装置に送信する送信手段とを備え、
前記判断手段を介して、前記第２識別情報が前記第１記憶手段に記憶された第１識別情報と同一であると判断された場合、前記送信手段により第１データを外部装置に送信することを特徴とする通信装置。
【請求項５】
ネットワークを介して送信される第１データ及び第１データの送信元を識別可能な第１識別情報を受信するとともに、第２識別情報を保有する外部装置に接続される通信装置であって、
ネットワークを介して前記第１データ及び第１識別情報を受信する第１受信手段と、
前記外部装置から第２識別情報を受信する第２受信手段と、
前記第１受信手段により受信された第１データ及び第１識別情報を記憶する第１記憶手段と、
前記第１識別情報に対応する第２データを記憶する第２記憶手段と、
前記第１データと第２データとを合成して第３データを作成する合成手段と、
前記外部装置から受信された第２識別情報が、前記第１記憶手段に記憶された第１識別情報と同一であるかどうかを判断する判断手段と、
前記合成手段を介して合成された第３データを前記外部装置に送信する送信手段とを備え、
前記判断手段を介して、前記第２識別情報が前記第１記憶手段に記憶された第１識別情報と同一であると判断された場合、前記送信手段により第３データを外部装置に送信することを特徴とする通信装置。
【請求項６】
ネットワークを介して送信される第１データ及び第１データの送信元を識別可能な第１識別情報を受信するとともに、第２識別情報を保有する外部装置に接続される通信装置を制御するコンピュータ読み取り可能なプログラムであって、
前記コンピュータを、
ネットワークを介して前記第１データ及び第１識別情報を受信する第１受信手段と、
前記外部装置から第２識別情報を受信する第２受信手段と、
前記第１受信手段により受信された第１データ及び第１識別情報を記憶する第１記憶手段と、
前記外部装置から受信された第２識別情報が、前記第１記憶手段に記憶された第１識別情報と同一であるかどうかを判断する判断手段と、
前記第１記憶手段に記憶された第１データを前記外部装置に送信する送信手段とを備え、
前記判断手段を介して、前記第２識別情報が前記第１記憶手段に記憶された第１識別情報と同一であると判断された場合、前記送信手段により第１データを外部装置に送信するように機能させるプログラム。
【請求項７】
ネットワークを介して送信される第１データ及び第１データの送信元を識別可能な第１識別情報を受信するとともに、第２識別情報を保有する外部装置に接続される通信装置を制御するコンピュータ読み取り可能なプログラムであって、
ネットワークを介して前記第１データ及び第１識別情報を受信する第１受信手段と、
前記外部装置から第２識別情報を受信する第２受信手段と、
前記第１受信手段により受信された第１データ及び第１識別情報を記憶する第１記憶手段と、
前記第１識別情報に対応する第２データを記憶する第２記憶手段と、
前記第１データと第２データとを合成して第３データを作成する合成手段と、
前記外部装置から受信された第２識別情報が、前記第１記憶手段に記憶された第１識別情報と同一であるかどうかを判断する判断手段と、
前記合成手段を介して合成された第３データを前記外部装置に送信する送信手段とを備え、
前記判断手段を介して、前記第２識別情報が前記第１記憶手段に記憶された第１識別情報と同一であると判断された場合、前記送信手段により第３データを外部装置に送信するように機能させるプログラム。
【発明の詳細な説明】
【技術分野】
【０００１】
本発明は、ネットワークを介してデータを受信する通信装置と通信装置に接続される外部装置から構成されるデータ処理システムに関し、特に、ネットワークを介して受信されたデータを所定条件下で通信装置から外部装置に送信するデータ処理システムに関するものである。
【背景技術】
【０００２】
従来より、ネットワークを介して送信される所定のデータを受信可能で、且つ、受信された所定のデータを更にネットワークを介して外部メモリに転送可能な通信装置を含むシステムが提案されている（例えば、特許文献１参照）。
【特許文献１】特開２００５−１６８０１３号公報
【発明の開示】
【発明が解決しようとする課題】
【０００３】
しかしながら、前記従来のシステムにおいては、ネットワークを介して通信装置で受信された所定のデータは、特に選別されることなく、一律に外部メモリに転送されるものである。従って、外部メモリに転送記憶されたデータ中には、その利用者が利用を望むデータもあれば利用を望まないデータも当然に包含されている。
【０００４】
この結果、利用者が外部メモリに転送記憶されたデータを利用するに際しては、データの利用を行う毎に、自己が利用を望むデータを選別する必要があり、従って、データ利用が非常に非常に煩雑なものとなる問題がある。
【０００５】
本発明は前記従来技術の問題点を解消するためになされたものであり、ネットワークを介して受信されたデータを所定条件下で通信装置から外部装置に送信することにより、データ利用者が利用を望むデータのみを外部装置に送信可能とし、もって通信装置から外部装置に送信されたデータの利用を極めて簡単に行うことができるデータ処理システムを提供することを目的とする。
【課題を解決するための手段】
【０００６】
前記目的を達成するため請求項１に係るデータ処理システムは、ネットワークを介して送信される第１データ及び第１データの送信元を識別可能な第１識別情報を受信する通信装置と、通信装置に接続されるとともに第２識別情報を保有する外部装置とを含むデータ処理システムであって、前記通信装置は、ネットワークを介して前記第１データ及び第１識別情報を受信する第１受信手段と、前記外部装置から第２識別情報を受信する第２受信手段と、前記第１受信手段により受信された第１データ及び第１識別情報を記憶する第１記憶手段と、前記外部装置から受信された第２識別情報が、前記第１記憶手段に記憶された第１識別情報と同一であるかどうかを判断する判断手段と、前記第１記憶手段に記憶された第１データを前記外部装置に送信する送信手段とを備え、前記外部装置は、前記第２識別情報を記憶する第２記憶手段と、前記送信手段を介して送信された第１データを受信する第３受信手段とを備え、前記通信装置は、前記判断手段を介して、前記第２識別情報が前記第１記憶手段に記憶された第１識別情報と同一であると判断された場合、前記送信手段により第１データを外部装置に送信することを特徴とする。
【０００７】
また、請求項２に係るデータ処理システムは、請求項１のデータ処理システムにおいて、ネットワークを介して送信される第１データ及び第１データの送信元を識別可能な第１識別情報を受信する通信装置と、通信装置に接続されるとともに第２識別情報を保有する外部装置とを含むデータ処理システムであって、前記通信装置は、ネットワークを介して前記第１データ及び第１識別情報を受信する第１受信手段と、前記外部装置から第２識別情報を受信する第２受信手段と、前記第１受信手段により受信された第１データ及び第１識別情報を記憶する第１記憶手段と、前記第１識別情報に対応する第２データを記憶する第２記憶手段と、前記第１データと第２データとを合成して第３データを作成する合成手段と、前記外部装置から受信された第２識別情報が、前記第１記憶手段に記憶された第１識別情報と同一であるかどうかを判断する判断手段と、前記合成手段を介して合成された第３データを前記外部装置に送信する送信手段とを備え、前記外部装置は、前記第２識別情報を記憶する第３記憶手段と、前記送信手段を介して送信された第３データを受信する第３受信手段とを備え、前記通信装置は、前記判断手段を介して、前記第２識別情報が前記第１記憶手段に記憶された第１識別情報と同一であると判断された場合、前記送信手段により第３データを外部装置に送信することを特徴とする。
【０００８】
更に、請求項３に係るデータ処理システムは、請求項１又は請求項２に係るデータ処理システムにおいて、前記通信装置には、複数の前記外部装置が接続され、前記判断手段は、複数の各外部装置に対して、外部装置から受信された第２識別情報が、前記第１記憶手段に記憶された第１識別情報と同一であるかどうかを判断することを特徴とする。
【０００９】
また、請求項４に係る通信装置は、ネットワークを介して送信される第１データ及び第１データの送信元を識別可能な第１識別情報を受信するとともに、第２識別情報を保有する外部装置に接続される通信装置であって、ネットワークを介して前記第１データ及び第１識別情報を受信する第１受信手段と、前記外部装置から第２識別情報を受信する第２受信手段と、前記第１受信手段により受信された第１データ及び第１識別情報を記憶する第１記憶手段と、前記外部装置から受信された第２識別情報が、前記第１記憶手段に記憶された第１識別情報と同一であるかどうかを判断する判断手段と、前記第１記憶手段に記憶された第１データを前記外部装置に送信する送信手段とを備え、前記判断手段を介して、前記第２識別情報が前記第１記憶手段に記憶された第１識別情報と同一であると判断された場合、前記送信手段により第１データを外部装置に送信することを特徴とする。
【００１０】
更に、請求項５に係る通信装置は、ネットワークを介して送信される第１データ及び第１データの送信元を識別可能な第１識別情報を受信するとともに、第２識別情報を保有する外部装置に接続される通信装置であって、ネットワークを介して前記第１データ及び第１識別情報を受信する第１受信手段と、前記外部装置から第２識別情報を受信する第２受信手段と、前記第１受信手段により受信された第１データ及び第１識別情報を記憶する第１記憶手段と、前記第１識別情報に対応する第２データを記憶する第２記憶手段と、前記第１データと第２データとを合成して第３データを作成する合成手段と、前記外部装置から受信された第２識別情報が、前記第１記憶手段に記憶された第１識別情報と同一であるかどうかを判断する判断手段と、前記合成手段を介して合成された第３データを前記外部装置に送信する送信手段とを備え、前記判断手段を介して、前記第２識別情報が前記第１記憶手段に記憶された第１識別情報と同一であると判断された場合、前記送信手段により第３データを外部装置に送信することを特徴とする。
【００１１】
また、請求項６に係るプログラムは、ネットワークを介して送信される第１データ及び第１データの送信元を識別可能な第１識別情報を受信するとともに、第２識別情報を保有する外部装置に接続される通信装置を制御するコンピュータ読み取り可能なプログラムであって、前記コンピュータを、ネットワークを介して前記第１データ及び第１識別情報を受信する第１受信手段と、前記外部装置から第２識別情報を受信する第２受信手段と、前記第１受信手段により受信された第１データ及び第１識別情報を記憶する第１記憶手段と、前記外部装置から受信された第２識別情報が、前記第１記憶手段に記憶された第１識別情報と同一であるかどうかを判断する判断手段と、前記第１記憶手段に記憶された第１データを前記外部装置に送信する送信手段とを備え、前記判断手段を介して、前記第２識別情報が前記第１記憶手段に記憶された第１識別情報と同一であると判断された場合、前記送信手段により第１データを外部装置に送信するように機能させることを特徴とする。
【００１２】
更に、請求項７に係るプログラムは、ネットワークを介して送信される第１データ及び第１データの送信元を識別可能な第１識別情報を受信するとともに、第２識別情報を保有する外部装置に接続される通信装置を制御するコンピュータ読み取り可能なプログラムであって、ネットワークを介して前記第１データ及び第１識別情報を受信する第１受信手段と、前記外部装置から第２識別情報を受信する第２受信手段と、前記第１受信手段により受信された第１データ及び第１識別情報を記憶する第１記憶手段と、前記第１識別情報に対応する第２データを記憶する第２記憶手段と、前記第１データと第２データとを合成して第３データを作成する合成手段と、前記外部装置から受信された第２識別情報が、前記第１記憶手段に記憶された第１識別情報と同一であるかどうかを判断する判断手段と、前記合成手段を介して合成された第３データを前記外部装置に送信する送信手段とを備え、前記判断手段を介して、前記第２識別情報が前記第１記憶手段に記憶された第１識別情報と同一であると判断された場合、前記送信手段により第３データを外部装置に送信するように機能させることを特徴とする。
【発明の効果】
【００１３】
前記請求項１のデータ処理システムでは、通信装置は、判断手段を介して、第２識別情報が第１記憶手段に記憶された第１識別情報と同一であると判断された場合、送信手段により第１データを外部装置に送信するように構成されているので、外部装置の識別情報と一致する識別情報を有する第１データのみが外部装置に送信されることとなり、これより外部装置の利用者が利用を望む第１データのみを外部装置に送信することができ、通信装置から外部装置に送信された第１データの利用を極めて簡単に行うことができるデータ処理システムを提供できる。
【００１４】
前記請求項２のデータ処理システムでは、通信装置は、判断手段を介して、第２識別情報が第１記憶手段に記憶された第１識別情報と同一であると判断された場合、合成手段を介して第１データと第２データとを合成して得られた第３データを送信手段により外部装置に送信するように構成されているので、外部装置の識別情報と一致する識別情報を有する第１データに加えて第２データも外部装置に送信されることとなり、これより外部装置の利用者が利用を望む第１データと第２データとを合成してなる第３データを外部装置に送信することができ、通信装置から外部装置に送信された第１データ及び第２データの利用を極めて簡単に行うことができるデータ処理システムを提供できる。
【００１５】
前記請求項３に係るデータ処理システムでは、通信装置に接続された複数の各外部装置に対して、判断手段により外部装置から受信された第２識別情報が、前記第１記憶手段に記憶された第１識別情報と同一であるかどうかを判断するように構成されているので、各外部装置の識別情報と一致する識別情報を有する第１データのみが各外部装置に送信されたり、また、各外部装置の識別情報と一致する識別情報を有する第１データに加えて第２データも各外部装置に送信されることとなり、これより各外部装置の利用者が利用を望む第１データのみを各外部装置に送信することができ、通信装置から各外部装置に送信された第１データの利用を極めて簡単に行うことができるデータ処理システム、又は、各外部装置の利用者が利用を望む第１データと第２データとを合成してなる第３データを各外部装置に送信することができ、通信装置から各外部装置に送信された第１データ及び第２データの利用を極めて簡単に行うことができるデータ処理システムを提供できる。
【００１６】
前記請求項４に係る通信装置では、判断手段を介して、第２識別情報が第１記憶手段に記憶された第１識別情報と同一であると判断された場合、送信手段により第１データを外部装置に送信するように構成されているので、外部装置の識別情報と一致する識別情報を有する第１データのみが外部装置に送信されることとなり、これより外部装置の利用者が利用を望む第１データのみを外部装置に送信することができ、通信装置から外部装置に送信された第１データの利用を極めて簡単に行うことができる。
【００１７】
前記請求項５に係る通信装置では、判断手段を介して、第２識別情報が第１記憶手段に記憶された第１識別情報と同一であると判断された場合、合成手段を介して第１データと第２データとを合成して得られた第３データを送信手段により外部装置に送信するように構成されているので、外部装置の識別情報と一致する識別情報を有する第１データに加えて第２データも外部装置に送信されることとなり、これより外部装置の利用者が利用を望む第１データと第２データとを合成してなる第３データを外部装置に送信することができ、通信装置から外部装置に送信された第１データ及び第２データの利用を極めて簡単に行うことができる。
【００１８】
前記請求項６のプログラムによれば、判断手段を介して、第２識別情報が第１記憶手段に記憶された第１識別情報と同一であると判断された場合、送信手段により第１データを外部装置に送信するように構成されているので、外部装置の識別情報と一致する識別情報を有する第１データのみが外部装置に送信されることとなり、これより外部装置の利用者が利用を望む第１データのみを外部装置に送信することができ、通信装置から外部装置に送信された第１データの利用を極めて簡単に行うことができる。
【００１９】
前記請求項７に係るプログラムによれば、判断手段を介して、第２識別情報が第１記憶手段に記憶された第１識別情報と同一であると判断された場合、合成手段を介して第１データと第２データとを合成して得られた第３データを送信手段により外部装置に送信するように構成されているので、外部装置の識別情報と一致する識別情報を有する第１データに加えて第２データも外部装置に送信されることとなり、これより外部装置の利用者が利用を望む第１データと第２データとを合成してなる第３データを外部装置に送信することができ、通信装置から外部装置に送信された第１データ及び第２データの利用を極めて簡単に行うことができる。
【発明を実施するための最良の形態】
【００２０】
以下、本発明に係るデータ処理システムについて、本発明を具体化した実施形態に基づき図面を参照しつつ詳細に説明する。先ず、本実施形態に係るデータ処理システムの概略構成について図１に基づき説明する。図１はデータ処理システムのブロック図である。
【００２１】
図１に示すデータ処理システムは、基本的に、ファクシミリ装置１、携帯端末装置５０及び他のファクシミリ装置１０１から構成さてれいる。尚、ファクシミリ装置１と１０１は、同一の構成を有する。ファクシミリ装置１、１０１は電話回線網１００に接続されている。
【００２２】
ファクシミリ装置１は、この電話回線網１００を介してファクシミリ通信を実現するファクシミリ機能、電話回線網１００を介して音声通話を実現する音声通話機能、プリンタ機能、コピー機能、スキャナ機能、メール送信機能などの各種の機能を１台に備えている。
【００２３】
また、ファクシミリ装置１は、ファクシミリ装置１全体の動作を制御するＣＰＵ１２と、そのＣＰＵ１２により実行される各種の制御プログラムや固定値データを記憶するＲＯＭ１４と、ＣＰＵ１２により実行される各種処理に必要なデータやプログラム等を一時的に記憶するためのメモリであるＲＡＭ１６と、各種設定を記憶し書き換え可能で不揮発性のフラッシュメモリ１８と、スキャナ部２２と、プリンタ部２４と、モデム２６と、回線制御部２８と、ファクシミリ装置１の本体部から取り外し可能であり、音声通話機能において送話及び受話するために使用される送受話器３２と、ファクシミリ装置１で各種機能を実行させるための複数の操作入力キー（ボタンやスイッチなど）から構成される操作部３４と、ファクシミリ装置１における各種情報を表示する液晶ディスプレイ（以下、「ＬＣＤ（Liquid Crystal Display）」と称する）であるＬＣＤ３６と、スピーカ及びそのスピーカを駆動する駆動回路から構成されるスピーカ部３８と、ＵＳＢ端子４０を備えている。
【００２４】
このうち、ＣＰＵ１２と、ＲＯＭ１４と、ＲＡＭ１６と、フラッシュメモリ１８と、スキャナ部２２と、プリンタ部２４と、モデム２６と、回線制御部２８と、操作部３４と、ＬＣＤ３６と、スピーカ部３８と、ＵＳＢ端子４０とは、バスライン４６を介して互いに接続されている。なお、回線制御部２８と、モデム２６又は送受話器３２とは、伝送経路によって接続されている。
【００２５】
ここで、スキャナ部２２は、ＣＰＵ１２からの指示に基づいて、所定の読取位置（非図示）にセットされた原稿から画像の読み取りを行うと共に、この画像のイメージデータを生成するものである。このスキャナ部２２により読み取られたイメージデータは、ファクシミリ装置１が、ファクシミリ装置１におけるファクシミリ機能を機能させるファクシミリモードに設定されている場合には、そのイメージデータが、モデム２６、回線制御部２８及び電話回線網１００を介して、電話番号等により指定された相手側ファクシミリ装置１０１へ送信される。
【００２６】
また、ファクシミリ装置１が、ファクシミリ装置１におけるコピー機能を実現させるコピーモードに設定されている場合には、このスキャナ部２２によって生成されたイメージデータは、プリンタ部２４により記録紙に印刷される。さらに、ファクシミリ装置１が、ファクシミリ装置１におけるスキャナ機能を実現させるスキャナモードに設定されている場合には、このスキャナ部２２によって生成されたイメージデータは、ＲＡＭ１６における所定の記憶領域に格納される。
【００２７】
プリンタ部２４は、ＣＰＵ１２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。
【００２８】
ファクシミリ装置１がファクシミリモードに設定され、且つ、電話回線網１００、回線制御部２８及びモデム２６を介して相手側ファクシミリ装置１０１から受信したファクシミリデータを印字するように設定されている場合には、受信したファクシミリデータに基づいて生成されたイメージデータは、このプリンタ部２４によって記録紙に印刷される。
【００２９】
また、ファクシミリ装置１がコピーモードに設定されている場合には、スキャナ部２２によって生成されたイメージデータは、このプリンタ部２４により記録紙に印刷される。
【００３０】
モデム２６は、ＣＰＵ１２からの指示に基づいて、スキャナ部２２で生成されたイメージデータを変調して、回線制御部２８を介して電話回線網１００に伝送可能な画像信号を生成したり、電話回線１００から回線制御部２８を介して入力された画像信号をイメージデータに復調するものである。
【００３１】
回線制御部２８は、電話回線網１００からの各種信号の入力と、電話回線網１００への信号の出力を行うと共に、ＣＰＵ１２からの指示に基づいて、電話回線網１００との間で入出力する信号の伝送先及び伝送元となる伝送経路を設定する。この「伝送経路」としては、操作部３４により画像を送信する（ファクシミリデータを送信する）ための操作が行われる際、又は、電話回線網１００から画像信号を受信した（ファクシミリデータを受信した）際に、モデム２６へ向かう経路が設定される。そして、この経路を画像信号が伝達可能な状態となる。一方で、この設定された伝送経路は、モデム２６による画像信号の出力が終了した際、又は、電話回線１００からの画像信号の入力が終了した際に解除され、この経路を画像信号が伝送されない状態となる。
【００３２】
また、送受話器３２をファクシミリ装置１の本体部から取り外す操作（オフフック操作）が行われた際に、回線制御部２８から送受話器３２へ向かう経路が上述した伝送経路として設定され、この経路を音声信号が伝送可能な状態となる。こうして設定された伝送経路は、送受話器３２をファクシミリ装置１の本体部に戻す操作（オンフック操作）が行われた際に解除され、この経路を音声信号が伝送されない状態となる。
【００３３】
ＲＯＭ１４には、後述する携帯端末装置５０の制御プログラム（図７参照）、ファクシミリ装置１の制御プログラム（図８参照）、各種固定値やデータテーブル等の恒久的データが記憶されている。また、ＲＡＭ１６には、ＣＰＵ１２により実行される各種処理に必要なデータやプログラム等を一時的に記憶される。かかるＲＡＭ１６には、後述するようにファクシミリ受信イメージデータが展開記憶されるファクシミリ受信イメージメモリ１６ａ、携帯端末装置５０へ転送するためのイメージデータが記憶される転送イメージメモリ１６ｂが設けられている。更に、フラッシュメモリ１８は、各種設定を記憶し書き換え可能な不揮発性のメモリであり、フラッシュメモリ１８には、ファクシミリ送信先とその電話番号とが相互に対応して記憶されているアドレスブック１８ａが登録されている。
【００３４】
また、図１において、携帯端末装置５０は、携帯端末装置５０全体の制御を行うＣＰＵ５２、携帯端末装置５０における各種機能を実行する各種のプログラム、データテーブル等が記憶されるＲＯＭ５４、ＣＰＵ５２を介して演算された各種データを一時的に記憶するＲＡＭ５６、ファクシミリ装置１のＵＳＢ端子４０との間で各種データの送受信を行う送受信部５８、各種のデータを表示するＬＣＤ６０及び携帯端末装置５０にて使用されるアドレスブック６２ａ、その他各種設定等を記憶し書き換え可能な不揮発性のフラッシュメモリ６２が設けられている。
【００３５】
続いて、前記のように構成されたデータ処理システムにおける動作の概略について図２乃至図６に基づき説明する。図２は携帯端末装置５０にてフラッシュメモリ６２のアドレスブック６２ａにアドレス情報を予め登録する状態を模式的に示す説明図、図３はファクシミリ装置１にてフラッシュメモリ１８のアドレスブック１８ａにおけるアドレス情報に対応してイメージデータを登録する状態を模式的に示す説明図、図４はファクシミリ装置１がファクシミリデータを受信した際の動作を模式的に示す説明図、図５及び図６はファクシミリ装置１に携帯端末装置５０を接続しファクシミリ装置１から携帯端末装置５０にファクシミリデータ及びイメージデータを送信する状態を模式的に示す説明図である。
【００３６】
先ず、図２に示すように、携帯端末装置５０において、フラッシュメモリ６２のアドレスブック６２ａに、予め転送を受けたい送信者のファクシミリアドレス情報を登録しておく。図２に示す例では、氏名とファクシミリ電話番号とを対応させてアドレスブック６２ａに登録されている。尚、これらに加えて、例えば、Ｅ−メールアドレス等送信者を特定できる情報であればどのような情報でもよい。
【００３７】
また、図３に示すように、ファクシミリ装置１において、フラッシュメモリ１８のアドレスブック１８ａに登録された各送信者のファクシミリアドレス情報に対応させて、各送信者を特定するイメージデータを登録することができる。
かかるイメージデータを登録するには、先ず、図３（Ａ）に示すように、フラッシュメモリ１８のアドレスブック１８ａを呼び出してＬＣＤ３６に表示し、この後、図３（Ｂ）に示すように、操作部３４のカーソルキーを介してイメージデータを登録する送信者を選択する。このとき、選択された送信者「Suzuki Ichiro (0123)456789」は、反転表示される。
【００３８】
続いて、図３（Ｃ）に示すように、前記にて選択された送信者に対してイメージデータを追加する選択を行う。図３（Ｃ）では、「3. Add Image」が選択されている。この後、例えば、選択した送信者の名刺や写真をファクシミリ装置１の原稿台にセットするとともに、操作部３４におけるスタートボタンを押下する。これにより、前記にて選択された送信者のファクシミリアドレス情報に対して、その送信者に関するイメージデータが付加される。この状態で、アドレスブック１８ａには、選択された送信者「Suzuki Ichiro (0123)456789」に対応して名刺や写真のイメージデータが登録される。尚、アドレスブック１８ａにて、送信者「Suzuki Ichiro (0123)456789」にイメージデータが付加されていることは、ＬＣＤ３６において送信者の左端に「※」マークを付して表示される。
【００３９】
次に、他のファクシミリ装置１０１からファクシミリデータが送信された場合における動作について図４に基づき説明する。このとき、説明の便宜上、前記のように選択された送信者「Suzuki Ichiro (0123)456789」で特定されるファクシミリ装置１０１からファクシミリデータの送信があったものとする。
図４（Ａ）に示すように、ファクシミリ装置１０１からファクシミリデータの送信があると、ファクシミリ装置１は、図４（Ｂ）に示すように、送信元のファクシミリ電話番号に係るインデクスを付けてファクシミリデータ（イメージデータ）をＲＡＭ１６のファクシミリ受信イメージメモリ１６ａに記憶する。尚、図４（Ｂ）に示す例では、送信元「鈴木一郎」から見積書が送信されており、かかる見積書のイメージデータがファクシミリ装置１におけるＲＡＭ１６のファクシミリ受信イメージメモリ１６ａに記憶される。
【００４０】
更に、ファクシミリ装置１のＵＳＢ端子４０に携帯端末装置５０が接続された場合におけるファクシミリ装置１の動作について図５に基づき説明する。先ず、図５（Ａ）に示すように、携帯端末装置５０がファクシミリ装置１のＵＳＢ端子４０に接続された後、携帯端末装置５０側から、前記のように予めアドレスブック６２ａに登録されたファクシミリデータを転送したい送信者のファクシミリアドレス情報がファクシミリ装置１に送信される。
【００４１】
この後、図５（Ｂ）に示すように、ファクシミリ装置１では、前記にて携帯端末装置５０のアドレスブック６２ａに基づき送信されたファクシミリアドレス情報に基づいて、ファクシミリ装置１側のＲＡＭ１６に記憶されているファクシミリイメージデータのインデクスが検索される。このとき、前記ファクシミリアドレス情報に対応するインデクスが存在している場合には、そのインデクスに対応するファクシミリイメージデータが読み出される。図５（Ｂ）では、ファクシミリアドレス情報「(0123)456789」に基づき、ファクシミリ受信した見積書のイメージデータが読み出されている。これに対して、前記ファクシミリアドレス情報に対応するインデクスが存在していない場合には、そのファクシミリアドレス情報に対応するファクシミリイメージデータが存在しないこととなり、ファクシミリイメージデータの読出動作は行われない。
【００４２】
続いて、図５（Ｃ）に示すように、前記のように携帯端末装置５０から受信したファクシミリアドレス情報に基づき、ファクシミリ装置１のアドレスブック１８ａを検索し、図３の操作で送信者のイメージデータが登録されているかどうかが判断される。送信者のイメージデータがアドレスブック１８ａに登録されている場合には、そのイメージデータが読み出される。図５（Ｃ）に示す例では、ファクシミリアドレス情報「(0123)456789」に基づき、送信者「鈴木一郎」の名刺のイメージデータが読み出されている。
尚、前記検索の結果、送信者のイメージデータがアドレスブック１８ａに登録されていないと判断された場合には、送信者のイメージデータは存在しないことから、イメージデータの読出動作は行われない。
【００４３】
続いて、図６（Ｄ）に示すように、前記のようにファクシミリ装置１におけるＲＡＭ１６のファクシミリ受信イメージメモリ１６ａから読み出されたファクシミリイメージデータと、アドレスブック１８ａから読み出された送信者のイメージデータとが合成される。図６（Ｄ）に示す例では、前記のようにＲＡＭ１６から読み出された見積書のイメージデータと、アドレスブック１８ａから読み出された送信者の名刺のイメージデータとが相互に合成されている。
【００４４】
そして図６（Ｅ）に示すように、
前記のように２つのイメージデータを合成することにより作成されたイメージデータが、携帯端末装置５０に送信される。
【００４５】
続いて、前記した一連の動作を実現するための携帯端末装置５０の制御プログラム及びファクシミリ装置１の制御プログラムについて、それぞれ図７及び図８に基づき説明する。
先ず、携帯端末装置５０の制御プログラムについて図７に基づき説明する。図６は携帯端末装置５０の制御プログラムを示すフローチャートである。
【００４６】
図７において、先ず、ステップ（以下、Ｓと略記する）１において、フラッシュメモリ６２のアドレスブック６２ａに、ファクシミリデータの転送を希望する送信者であるファクシミリ転送対象が登録されているかどうか判断される。ファクシミリ転送対象がアドレスブック６２ａに登録されていない場合（Ｓ１：ＮＯ）には、ファクシミリ転送対象となるアドレスが存在していないことがファクシミリ装置１に送信され（Ｓ２）、制御プログラムを終了する。
【００４７】
これに対して、ファクシミリ転送対象がアドレスブック６２ａに登録されている場合（Ｓ１：ＹＥＳ）には、ファクシミリ転送対象となるファクシミリアドレスがファクシミリ装置１に送信される（Ｓ３）。この後、ファクシミリ装置１からの返信が送信されるまで待機し（Ｓ４）、ファクシミリ装置１から転送されるイメージデータの転送終了信号を受信したかどうか判断される（Ｓ５）。転送終了信号が受信されていない（Ｓ５：ＮＯ）間には、ファクシミリ装置１から転送されるイメージデータが受信され（Ｓ６）、転送終了信号が受信された場合（Ｓ５：ＹＥＳ）には、制御プログラムを終了する。
【００４８】
続いて、ファクシミリ装置１にて実行される制御プログラムについて、図８に基づき説明する。図８はファクシミリ装置１の制御プログラムを示すフローチャートである。
図８において、Ｓ１０では、前記Ｓ３にて携帯端末装置５０にて行われるファクシミリ転送対象アドレスの送信動作に基づき、携帯端末装置５０が転送対象アドレスが受信されるまで待機する。更に、Ｓ１１では、転送対象アドレスが存在しないかどうかが判断される。即ち、前記Ｓ３にて携帯端末装置５０から送信されたファクシミリ転送対象アドレスが受信された場合（Ｓ１１：ＮＯ）には、Ｓ１２に移行し、一方、前記Ｓ２にて携帯端末装置５０から送信されたファクシミリ転送対象アドレスが存在しないことが受信された場合（Ｓ１１：ＹＥＳ）には、制御プログラムを終了する。
【００４９】
Ｓ１２においては、全ての転送対象アドレスが検索されたかどうか判断され、全ての転送対象アドレスが検索済となった場合（Ｓ１２：ＹＥＳ）には、転送終了信号を携帯端末装置５０に送信した（Ｓ２０）後、制御プログラムを終了する。一方、全ての転送対象アドレスが検索されていいな場合（Ｓ１２：ＮＯ）には、更にＳ１３にて、全てのファクシミリ受信イメージデータにつき、転送対象アドレスに基づく検索が終了したかどうか判断される。
【００５０】
全てのファクシミリ受信イメージデータにつき、転送対象アドレスに基づく検索が終了したと判断された場合（Ｓ１３：ＹＥＳ）にはＳ１２に戻る一方、全てのファクシミリ受信イメージデータにつき、転送対象アドレスに基づく検索が終了していないと判断された場合（Ｓ１３：ＮＯ）には、Ｓ１４にて、ファクシミリ受信イメージデータのインデクスと転送対象アドレスとが一致しているかどうか判断される。ファクシミリ受信イメージデータのインデクスと転送対象アドレスとが一致していないと判断された場合（Ｓ１４：ＮＯ）には、Ｓ１３に戻る一方、ファクシミリ受信イメージデータのインデクスと転送対象アドレスとが一致していると判断された場合（Ｓ１４：ＹＥＳ）には、ファクシミリ受信イメージメモリ１６ａに記憶されたイメージデータがＲＡＭ１６に設けられた転送イメージメモリ１６ｂに読み出される。
【００５１】
この後、Ｓ１６において、ファクシミリ装置１側のアドレスブック１８ａのファクシミリアドレスと携帯端末装置５０側から送信された転送対象アドレスとが一致するかどうか判断される。ファクシミリ装置１側のアドレスブック１８ａのファクシミリアドレスと携帯端末装置５０側から送信された転送対象アドレスとが一致しないと判断された場合（Ｓ１６：ＮＯ）には、Ｓ１９に移行する一方、ファクシミリ装置１側のアドレスブック１８ａのファクシミリアドレスと携帯端末装置５０側から送信された転送対象アドレスとが一致すると判断された場合（Ｓ１６：ＹＥＳ）には、ファクシミリ装置１のアドレスブック１８ａに送信者のイメージデータが登録されているかどうか判断される（Ｓ１７）。
【００５２】
Ｓ１７において、ファクシミリ装置１のアドレスブック１８ａに送信者のイメージデータが登録されていないと判断された場合（Ｓ１７：ＮＯ）にはＳ１９に移行する一方、ファクシミリ装置１のアドレスブック１８ａに送信者のイメージデータが登録されていると判断された場合（Ｓ１７：ＹＥＳ）には、Ｓ１８にて、ＲＡＭ１６の転送イメージメモリ１６ｂに読み出された転送用のファクシミリイメージデータとアドレスブック１８ａのイメージデータとが合成される。この後、Ｓ１９に移行する。
【００５３】
Ｓ１９においては、ＲＡＭ１６の転送イメージメモリ１６ｂに展開されている転送用のイメージデータが、携帯端末装置５０に送信される。この後、Ｓ１３に戻る。
【００５４】
以上詳細に説明した通り、本実施形態に係るデータ処理システムでは、ファクシミリ装置１において、ファクシミリ受信イメージデータのインデクスと転送対象アドレスとが一致していると判断された場合（Ｓ１４：ＹＥＳ）には、ファクシミリ受信イメージメモリ１６ａに記憶されているファクシミリイメージデータがＲＡＭ１６に設けられた転送イメージメモリ１６ｂに読み出されるとともに、ＲＡＭ１６の転送イメージメモリ１６ｂに展開されているイメージデータが、携帯端末装置５０に送信される（Ｓ１９）ので、ファクシミリイメージデータのインデクスと一致する転送対象アドレスに対応するファクシミリイメージデータのみが携帯端末装置５０に送信されることとなり、これより携帯端末装置５０の利用者が利用を望むファクシミリイメージデータのみを携帯端末装置５０に送信することができ、ファクシミリ装置１から携帯端末装置５０に送信されたファクシミリイメージデータの利用を極めて簡単に行うことができるものである。
【００５５】
また、ファクシミリ装置１側のアドレスブック１８ａのファクシミリアドレスと携帯端末装置５０側から送信された転送対象アドレスとが一致すると判断され（Ｓ１６：ＹＥＳ）、且つ、ファクシミリ装置１のアドレスブック１８ａに送信者のイメージデータが登録されていると判断された場合（Ｓ１７：ＹＥＳ）には、Ｓ１８にて、ＲＡＭ１６の転送イメージメモリ１６ｂに読み出された転送用のファクシミリイメージデータとアドレスブック１８ａのイメージデータとが合成されるとともに、その合成されたイメージデータが携帯端末装置５０に送信されるので、携帯端末装置５０側から送信された転送対象アドレスと一致するファクシミリイメージデータに加えて、ファクシミリ装置１のアドレスブック１８ａに登録された送信者のイメージデータも携帯端末装置５０に送信されることとなり、これより携帯端末装置５０の利用者が利用を望むファクシミリイメージデータと送信者のイメージデータとを合成してなるイメージデータを携帯端末装置５０に送信することができ、ファクシミリ装置１から携帯端末装置５０に送信されたファクシミリデータ及び送信者のイメージデータの利用を極めて簡単に行うことができる。
【００５６】
尚、本発明は前記実施形態に限定されるものではなく、本発明の要旨を逸脱しない範囲内で種々の改良、変形が可能であることは勿論である。
例えば、前記実施形態においては、ファクシミリ装置１に対して１台の携帯端末装置５０がＵＳＢ端子４０を介して接続された場合について説明したが、本発明はこれに限定されるものではなく、図９に示すように、ファクシミリ装置１側に複数個のＵＳＢ端子４０を付設するとともに、各ＵＳＢ端子４０のそれぞれに対して携帯端末装置５０を接続するように構成してもよい。
【００５７】
前記図９に示す構成によれば、ファクシミリ装置１に対して複数個の携帯端末装置５０が接続された場合でも、図７に示す制御プログラムを介して、各携帯端末装置５０について、前記した処理と同一の処理を行うことができ、従って、ファクシミリイメージデータのインデクスと一致する転送対象アドレスに対応するファクシミリイメージデータのみが各携帯端末装置５０に送信されることとなり、これより各携帯端末装置５０の利用者が利用を望むファクシミリイメージデータのみを各携帯端末装置５０に送信することができ、ファクシミリ装置１から各携帯端末装置５０に送信されたファクシミリイメージデータの利用を極めて簡単に行うことができ、また、各携帯端末装置５０側から送信された転送対象アドレスと一致するファクシミリイメージデータに加えて、ファクシミリ装置１のアドレスブック１８ａに登録された送信者のイメージデータも各携帯端末装置５０に送信されることとなり、これより各携帯端末装置５０の利用者が利用を望むファクシミリイメージデータと送信者のイメージデータとを合成してなるイメージデータを各携帯端末装置５０に送信することができ、ファクシミリ装置１から各携帯端末装置５０に送信されたファクシミリデータ及び送信者のイメージデータの利用を極めて簡単に行うことができる。
【図面の簡単な説明】
【００５８】
【図１】データ処理システムのブロック図である。
【図２】携帯端末装置にてフラッシュメモリのアドレスブックにアドレス情報を予め登録する状態を模式的に示す説明図である。
【図３】ファクシミリ装置にてフラッシュメモリのアドレスブックにおけるアドレス情報に対応してイメージデータを登録する状態を模式的に示す説明図である。
【図４】ファクシミリ装置がファクシミリデータを受信した際の動作を模式的に示す説明図である。
【図５】ファクシミリに携帯端末装置を接続しファクシミリから携帯端末装置にファクシミリデータ及びイメージデータを送信する状態を模式的に示す説明図である。
【図６】ファクシミリに携帯端末装置を接続しファクシミリから携帯端末装置にファクシミリデータ及びイメージデータを送信する状態を模式的に示す説明図である。
【図７】携帯端末装置の制御プログラムを示すフローチャートである。
【図８】ファクシミリ装置の制御プログラムを示すフローチャートである。
【図９】データ処理システムの他の例を模式的に示す説明図である。
【符号の説明】
【００５９】
１      ファクシミリ装置
１２    ＣＰＵ
１４    ＲＯＭ
１６    ＲＡＭ
１８    フラッシュメモリ
１８ａ  アドレスブック
４０    ＵＳＢ端子
５０    携帯端末装置
５２    ＣＰＵ
５４    ＲＯＭ
５６    ＲＡＭ
６２    フラッシュメモリ
６２ａ  アドレスブック
【図１】
2008085799.tif 000003
【図２】
2008085799.tif 000004
【図３】
2008085799.tif 000005
【図４】
2008085799.tif 000006
【図５】
2008085799.tif 000007
【図６】
2008085799.tif 000008
【図７】
2008085799.tif 000009
【図８】
2008085799.tif 000010
【図９】
2008085799.tif 000011